(57)【要約】【課題】  構造物への取付けの際の取扱いが簡単で、かつ小型化可能なケーブル類保持具を提供することを目的とする。  【解決手段】  ケーブル類を保持し緊締バンドにより構造物の取付部へ固定されるケーブル類保持具において、ケーブル類保持具１は弾性材料で一部材として作られケーブル類を直接もしくはブッシュを介して間接的に保持するための複数の保持孔４，５が形成された保持体２を有し、該保持体に形成された上記複数の保持孔４，５のうちの一部の保持孔は保持体の外周面と開口スリット７，９でつながり、他の各保持孔は上記一部の保持孔の一つともしくは隣接するさらに他の保持孔と連絡スリット８，１０でつながっており、ケーブル類もしくはケーブル類が挿入されたブッシュを保持孔に挿入する際に上記スリットの幅及び保持孔の内径を大きくし、緊締バンドＢ１で保持体を緊締した際に上記保持孔の内径を小さくするように、保持体が弾性変形可能となっている。【選択図】  図１
2006280144.tif 000002
【特許請求の範囲】
【請求項１】
ケーブル類を保持し緊締バンドにより構造物の取付部へ固定されるケーブル類保持具において、ケーブル類保持具は弾性材料で一部材として作られケーブル類を直接もしくはブッシュを介して間接的に保持するための複数の保持孔が形成された保持体を有し、該保持体に形成された上記複数の保持孔のうちの一部の保持孔は保持体の外周面と開口スリットでつながり、他の各保持孔は上記一部の保持孔の一つともしくは隣接するさらに他の保持孔と連絡スリットでつながっており、ケーブル類もしくはケーブル類が挿入されたブッシュを保持孔に挿入する際に上記スリットの幅及び保持孔の内径を大きくし、緊締バンドで保持体を緊締した際に上記保持孔の内径を小さくするように、保持体が弾性変形可能となっていることを特徴とするケーブル類保持具。
【請求項２】
スリットは、保持体が弾性変形していない自由状態で、空隙を形成するスリット幅を有していることとする請求項１に記載のケーブル類保持具。
【請求項３】
ケーブル類保持具は、保持体と取付部との間に介在する支持体を有し、該支持体は取付部との間そして保持体との間でそれぞれ別個の緊締バンドで緊締されて一体化されるようになっていることとする請求項１に記載のケーブル類保持具。
【請求項４】
複数の保持孔のうち、一つの連絡スリットのみ形成されている保持孔は、該保持孔の中心に対し上記連絡スリットと反対側に切り溝が形成されていることとする請求項１に記載のケーブル類保持具。
【発明の詳細な説明】
【技術分野】
【０００１】
本発明は、支柱、鉄塔等の構造物に取り付けられケーブル類を保持するケーブル類保持具に関する。
【背景技術】
【０００２】
この種のケーブル保持具であって、ケーブルの外周面を傷めることなく保持具として特許文献１に開示されているものが知られている。
【０００３】
この特許文献１のものは、添付図面の図９に示されるように、複数のホルダ５１（図示の例では三つのホルダ）を有し、各ホルダ５１でケーブルＣを保持し、電柱Ｐに巻き締めされるバンド５２でケーブルＣをホルダ５１を介して電柱Ｐに対して挟圧保持する。
【０００４】
上記ホルダ５１は弾性材料で作られており、二つのフィンガ状部５３，５４を対向して有し、該二つのフィンガ状部５３，５４の対向内面の奥部にケーブル保持溝５３を形成している。又、上記ホルダ５１は、電柱Ｐに接触する背面５５寄りの一方の側面に円の一部をなす形状の突部５６そして他方の側面に同様の形状の凹部５７を有している。このようなホルダ５１は、一つのホルダ５１が隣接する他のホルダ５１と、突部５６と凹部５７との嵌合により、図９のごとく、連接して配置され、ホルダ５１同士が上記突部５６と凹部５７を中心として回転自由なため、複数のホルダ５１は背面５５が電柱Ｐの曲面に沿うことができる。
【０００５】
各ホルダ５１の保持溝５３に収容されたケーブルＣは、フィンガ状部５３，５４にて案内されるバンド５２により締められて、ホルダ５１と共に電柱Ｐに対し不動となる。
【特許文献１】特開平１０−３３９８３５（図１、図２）
【発明の開示】
【発明が解決しようとする課題】
【０００６】
しかしながら、既述した特許文献１のケーブル保持具にあっては、電柱への取付作業時、さらには取付後において改善されるべき点をかかえている。
【０００７】
先ず、取付作業時には、複数のケーブルを保持するために、ケーブルに相当する数のホルダを用意し、これらを上記突部と凹部で嵌合して連接しなくてはならず、手間がかかる。又、嵌合させても、比較的不安定で電柱への取付までにあるいは取付作業中にホルダ同士が外れ易い。
【０００８】
又、取付後にあっては、バンドがケーブルを直接締めるので、バンドがケーブルに対し局部的に喰い込んでケーブルを傷め易い。
【０００９】
さらには、ケーブルの本数の数だけ用意しなければならないホルダは、強度等を確保するために所定の幅寸法が必要であり、複数のケーブルを保持するとき、ケーブル同士の間隔を狭くすることができず、結果として幅寸法（ケーブルの配列方向）に大寸法となってしまう。
【００１０】
本発明は、このような事情に鑑み、取扱いそして取付作業が簡単で、ケーブルを傷めることなく、又、小型化を可能とするケーブル類保持具を提供することを目的とする。
【課題を解決するための手段】
【００１１】
本発明に係るケーブル類保持具は、ケーブル類を保持し緊締バンドにより構造物の取付部へ固定される。
【００１２】
かかるケーブル類保持具において、本発明では、ケーブル類保持具は弾性材料で一部材として作られケーブル類を直接もしくはブッシュを介して間接的に保持するための複数の保持孔が形成された保持体を有し、該保持体に形成された上記複数の保持孔のうちの一部の保持孔は保持体の外周面と開口スリットでつながり、他の各保持孔は上記一部の保持孔の一つともしくは隣接するさらに他の保持孔と連絡スリットでつながっていることを特徴としている。
【００１３】
その結果、ケーブル類もしくはケーブル類が挿入されたブッシュを保持孔に挿入する際に上記スリットの幅及び保持孔の内径を大きくし、緊締バンドで保持体を緊締した際に上記保持孔の内径を小さくするように、保持体が弾性変形可能となる。
【００１４】
本発明において、スリットは、保持体が弾性変形していない自由状態で、空隙を形成するスリット幅を有していることが好ましい。このスリット幅を有することにより、弾性変形量が大きくなり、大きく拡げられたスリットでケーブルの挿入が楽に行え、又、緊締バンドを用いてケーブルを保持するときには締め代が大きくなるので保持力が十分に得られると共に、ケーブル径の多少のばらつきにも対応できる。
【００１５】
本発明において、ケーブル類保持具は、保持体と取付部との間に介在する支持体を有し、該支持体は取付部との間そして保持体との間でそれぞれ別個の緊締バンドで緊締されて一体化されるようになっていることが好ましい。このような支持体を用いると、支持体のみを構造物の取付部に取り付け、これと係りなく、別途の時期そして場所で、ケーブルを保持体へ保持せしめる作業が行え、作業効率が向上するのみならず作業が楽に行える。
【発明の効果】
【００１６】
本発明は、以上のごとく、ケーブル類保持具の保持体を弾性材料で一部材とし、複数のケーブル用保持孔を形成すると共に、各保持孔にスリットがつながっていることとしたので、ケーブル用保持孔を弾性変形させることにより上記スリットと保持孔を簡単に拡げられ、ケーブル類の装着が容易に行われ、構造物への取付も複数のケーブルを一括して、バンドの緊締により簡単に行われるようになり、作業効率を向上させる。又、各保持孔はケーブル類の周囲をほぼ完全に包囲して、緊締用のバンドと接触することがないので、ケーブルが傷められることもない。さらには、複数の保持孔は一部材としての保持体に形成されるので、保持孔同士間が比較的近接して設定でき、ケーブル類保持具は小型化される。
【００１７】
さらには、本発明では、保持孔同士がスリットでつながっているので、殆どの保持孔にはそれぞれ複数のスリットが形成されることとなり、ケーブル挿入時そして締付時の上記弾性変形を大きくすることができる。
【００１８】
さらには、複数の保持孔のうち、一つの連絡スリットのみ形成されている保持孔は、該保持孔の中心に対し上記連絡スリットと反対側に切り溝が形成されていることとするならば、上記切り溝でも保持孔を拡径するように変形が可能となる。
【発明を実施するための最良の形態】
【００１９】
以下、添付図面の図１及び図２にもとづき、本発明の実施形態を説明する。図１は本実施形態装置の主要部材を分離状態で示す部分破断斜視図、図２は使用時の状態を示す図である。
【００２０】
図１及び図２において、符号１はケーブル類保持具を示し、該ケーブル類保持具１は、
主要部材として、一部材として弾性材料、例えばゴム材で作られた保持体２と、これを支持する剛性を有する支持体３とを備えている。保持体２の材料としての弾性材料はゴム材に限らず、例えば弾性を有する合成樹脂でもよい。又、該保持体２は、一部材として形成されてはいるものの、単一材料で作られていることに限定されず、部分的に異なる材料で形成されていてもよい。それにより異なる部位での、特性、例えば、弾性、剛性、滑りあるいは摩擦特性等を使用時の便宜を図って適切なものに設定できる。又、保持体２をモールド成形する際に、一部に付属金具、例えばねじ孔やねじ体、吊具等を必要に応じて一体に成形しておくことも可能である。
【００２１】
弾性部材から成る上記保持体２は、略台形の正面形状そして略矩形断面を有し、横方向に長く延びている。該保持体２は、上段に比較的大きい円形の四つの保持孔４がほぼ等間隔で、下段には円形の六つの小さな保持孔５がほぼ等間隔で貫通形成されている。
【００２２】
比較的大きい内径の保持孔４は、複数のケーブルを保持する後述のブッシュに適合する内径で内面が略円筒状をなし、その軸線方向中央位置に、上記ブッシュに形成されたフランジ状の環状突部を収容する内周溝６が形成されている。又、小さい内径の保持孔５は単一のケーブルを直接保持するように該ケーブルの直径にほぼ等しい内径の円筒状内面を有している。
【００２３】
上記保持孔４，５は、それぞれ保持体２の外周面と直接もしくは間接につながるスリットが形成されている。先ず、上段の保持孔４については、左右方向で外側の二つの保持孔４には保持体２の外周面につながる開口スリット７が、そして内側の二つの保持孔４には上記外側の保持孔４につながる連絡スリット８が形成されている。又、下段の保持孔５については、左右方向外側の二つの保持孔５には保持体２の外周面につながる開口スリット９が、その内側の四つの保持孔５には上記外側の保持孔５あるいは外側に隣接して位置する保持孔５につながる連絡スリット１０が形成されている。かくして、すべての保持孔４，５は、直接もしくは隣接保持孔を介して間接に、スリットによって外周面につながっている。さらに、上記保持体２の底面には、三箇所に緊締バンド用の案内溝１１が該保持体２の厚み方向（保持孔の軸線と平行な方向）に形成されている。
【００２４】
上記保持体２の上段の複数の保持孔４には、選択的にブッシュ１２,１３が挿着される。これらブッシュ１２，１３は、上記保持孔４よりも径の小さいケーブルを保持するときに用いられ、例えば、ブッシュ１２は細い２本のケーブルが収められるように二つの孔１２Ａが形成され、ブッシュ１３は該孔１２Ａの径より大きく保持孔４の径よりも小さい中間的な径のケーブルが収められるように一つの孔１３Ａが形成されている。両ブッシュ１２，１３は保持孔４の内周溝６に係合するフランジ状の環状突部１２Ｂ，１３Ｂが設けられ、ブッシュ１２は周方向の一箇所にスリット１２Ｃ、ブッシュ１３は二つ割りとするスリット１３Ｃが形成されている。
【００２５】
支持体３は、保持体２に対して高剛性に作られており、例えばプラスチック製とすることができる。該支持体３は底壁部１４と、低側壁部１５と、高側壁部１６とを有しており、これら三つの壁部によって保持体２の底部を三方から接面支持するようになっている。
【００２６】
底壁部１４の下面には、その長手方向に他の緊締バンド用の案内溝１７が形成されている。又、該底壁部１４には構造物の取付部に対する位置決めに用いられる突条部１８が上記低側壁部１５側で該底壁部１４の下面に設けられている。この突条部１８は底壁部１４の補強にも貢献する。
【００２７】
低側壁部１５と上記底壁部１４は、上記長手方向の複数箇所で、両者の補強のために、リブ１９により連結されている。
【００２８】
高側壁部１６は上記低側壁部１５よりも高くなっていてその上縁は波形をなしている。この上縁の波形は、上記保持体２の下段に形成された保持孔５に対応ケーブルＣ３（図２（Ｂ）参照）が貫通保持されたときに該ケーブルＣ３の下側を支える半円部１６Ａが上記保持孔５に対応した位置に設けることによって形成されている。該高側壁部１６にも、低側壁部１５の場合と同様に、補強のためのリブ２０が底壁部１４との間に設けられている。
【００２９】
さらに、上記低側壁部１５と高側壁部１６には、上記保持体２の底面に形成された案内溝１１に対応する長手方向位置に、上記底壁部１４の上面に面して案内溝２１，２２がそれぞれ形成されていて、緊締バンドの貫通を許容している。
【００３０】
このような形態のケーブル類保持具１は、次の要領でケーブルを保持し構造物の取付部へ取り付けられる。このケーブル類保持具１では、先ず、図２のごとく保持体２によりケーブルを保持すると共にこの保持体２を支持体３に緊締バンドＢ１により一体化した後に、図３のごとく支持体３に他の緊締バンドＢ２を用いて構造物の取付部へ取り付けるか、もしくは、図４のごとく支持体３のみを取付部へ取り付けて、その後にケーブルを保持されている保持体２をこの支持体３へ緊締バンドＢ１により取り付けかつケーブルを緊締保持する。
【００３１】
ケーブルの保持体２での保持は、先ず、ブッシュ１２，１３を用いる場合、ブッシュ１２，１３を対応ケーブルＣ1，Ｃ２に取り付ける。この取付けは、ブッシュ１２のスリット１２を開き、又二つ割りのブッシュ１３を分離して行う。しかる後、保持体２のスリット７，８を開いて該保持体２の上段の保持孔４を大きく拡げてここへ上記ブッシュ１２，１３付きケーブルＣ１，Ｃ２を収める。ブッシュ１２，１３はそれらの環状突部１２Ｂ，１３Ｂで保持孔４の内周溝６と軸線方向で係止し同方向での抜けを防止する。又、保持孔４の内径と同じ直径をなす太いケーブルのときは、ブッシュ１２，１３を用いずにケーブルは直接保持孔４に収められる。
【００３２】
又、下段の保持孔５には、この保持孔５の直径に対応するケーブルＣ２を収める。このときも、保持体２は、スリット９，１０を開いて保持孔５の内径を大きく拡げて、ここにケーブルＣ３を収める。
【００３３】
次に、このように保持孔４，５へケーブルＣ１，Ｃ２，Ｃ３を収めた保持体２を支持体３上に配して、その底壁部１４、低側壁部１５、高側壁部１６にて支持せしめた後、図２のごとく、緊締バンドＢ１を支持体３の案内溝１７に配して保持体２の周面を周回せしめ、これを緊締部Ｂ１−１で締め付ける。保持体２は緊締バンドＢ１により圧縮されるので、保持孔４内のブッシュ１２，１３とそれに収められたケーブルＣ１，Ｃ２そして保持孔５内に収められたケーブルＣ３が保持孔４，５でしっかりと保持されると共に、保持体２が支持体３と一体化される。
【００３４】
一方、支持体３の構造物の取付部への取付けは、図４のように、他の緊締バンドＢ２を支持体３の案内溝２１，２２そして保持体２の案内溝１１（図１参照）に通して、構造物の鉄骨等の取付部Ｆに巻回し、緊締バンドＢ２の緊締部Ｂ２−１で締め付ける。この緊締バンドＢは支持体２の長手方向で三箇所に設けられた案内溝２１，２２のすべてにおいて行われる。かくして、支持体３が構造物の取付部Ｆへしっかりと取り付けられる。
【００３５】
既述したように、ケーブルを保持する保持体２の支持体３との一体化と、この支持体３の取付部Ｆへの取付けとは、どちらを先行して行っても良い。これは取付部の位置等の取付環境条件によって、作業のし易い順に行われる。
【００３６】
本発明は、図１ないし図４に示された形態には限定されず、種々変更が可能である。図１ないし図４に示されたものにあっては、保持体２のスリット（開口スリット７，９、連絡スリット８，１０）は、スリット幅がほとんど無く該スリットを形成する面同士が、保持体が緊締バンドで緊締される前の自由状態で、接面していたが、図５の例では、スリット７〜１０は幅が大きく形成されている。このスリット幅により、保持孔４，５に収められるケーブル（あるいはブッシュ）の直径はその許容径差が大きく確保できる。さらには、図５のごとく、内方に位置する保持孔４，５に、連絡スリット８，１０と反対側で切り溝８Ａ，１０Ａを形成しておけば、ケーブル収容時の保持孔４，５をさらに大きく拡げることができる。
【００３７】
又、スリットは、図１及び図２の例のように、上段の保持孔同士そして下段の保持孔同士を連絡するものでなくとも、図６，７のように上下段の保持孔４，５を互いに連絡するようにしてもよい。要は、各保持孔がスリットで保持体の外面につながっているか、あるいはスリットにより他の保持孔を介して上記外面につながっていればよい。しかし、この場合、保持体は一部材をなしていなくてはならず、スリットにより保持体が複数の部材に分割されてはならない。図６では下段の保持孔５がそして図７では上段の保持孔４がスリット７，９を経て外周面につながっている。
【００３８】
さらに、保持体２は、図８のごとく、図５の下段の保持孔５のみを配列したものとしてもよい。
【００３９】
本発明は、図示の例以外にも、種々変形が可能である。
【００４０】
先ず、ケーブル類保持具は、ゴム材に限らず、他の弾性材料、例えば、合成樹脂でも作れるし、部分的に異種の材料とすることも、あるいは、一体モールド成形で金具等の部材を具備することも可能である。
【００４１】
又、保持孔が種々の内径としたときには、スリット幅もそれに対応して決めることができる。さらに保持孔は、円形と限らず、保持すべきケーブルあるいはブッシュの断面形状により定められる。
【図面の簡単な説明】
【００４２】
【図１】本発明の一実施形態を示す、保持体そして支持体の分離状態における部分破断斜視図である。
【図２】図１の保持体と支持体を一体化した状態を示し、（Ａ）は正面図、（Ｂ）は側面図である。
【図３】保持体が取り付けられた支持体を構造物の取付部へ取り付けたときの状態を示す図である。
【図４】支持体のみが先行して取付部へ取り付けられたときの状態を示す図である。
【図５】保持体の変形例を示す正面図である。
【図６】保持体の他の変形例を示す正面図である。
【図７】保持体のさらに他の変形例を示す正面図である。
【図８】保持体のさらに他の変形例を示す正面図である。
【図９】従来装置を示す図である。
【符号の説明】
【００４３】
１  ケーブル類保持具
２  保持体
３  支持体
４  保持孔
５  保持孔
７，９  開口スリット
８，１０  連絡スリット
Ｂ１，Ｂ２  緊締バンド
【図１】
2006280144.tif 000003
【図２】
2006280144.tif 000004
【図３】
2006280144.tif 000005
【図４】
2006280144.tif 000006
【図５】
2006280144.tif 000007
【図６】
2006280144.tif 000008
【図７】
2006280144.tif 000009
【図８】
2006280144.tif 000010
【図９】
2006280144.tif 000011